(57)【要約】      （修正有）【課題】画像データの表示を管理しやすくする画像管理システム、装置及びプログラムを提供する。【解決手段】画像管理システムにおいて、画像記憶装置３０の記憶内容取得部３３は、表示装置５に表示される複数の画像データ（コンテンツデータ）を記憶するコンテンツデータ記憶部３２の記憶内容を取得する。画像データ取得部３１は、画像入力装置２０が入力した入力画像データを取得する。検索部３４は、コンテンツデータ記憶部３２が記憶する複数のコンテンツデータの中から、画像入力装置２０が入力した入力画像データと同一又は類似のコンテンツデータを検索する。画像管理装置１０の管理部１２は、検索結果に基づいて、コンテンツデータ記憶部３２の記憶内容を管理する。【選択図】図２
2016143142.tif 000002
【特許請求の範囲】
【請求項１】
表示手段に表示される複数の画像データを記憶する記憶手段の記憶内容を取得する手段と、
画像入力手段が入力した画像データを取得する手段と、
前記記憶手段が記憶する前記複数の画像データの中から、前記画像入力手段が入力した前記画像データと同一又は類似の画像データを検索する検索手段と、
前記検索手段の検索結果に基づいて、前記記憶手段の記憶内容を管理する管理手段と、
を含む画像管理システム。
【請求項２】
前記管理手段は、前記検索手段が検索した同一又は類似の前記画像データを前記記憶手段から削除する、
請求項１に記載の画像管理システム。
【請求項３】
前記管理手段は、前記検索手段が検索した同一又は類似の前記画像データを前記記憶手段から削除し、前記画像入力手段が入力した前記画像データを前記記憶手段に記憶させる、
請求項２に記載の画像管理システム。
【請求項４】
前記画像管理システムは、前記検索手段が検索した同一又は類似の前記画像データの表示を管理するため画面を表示手段に表示させる手段を更に含み、
前記管理手段は、前記画面における指示内容に基づいて前記記憶手段の記憶内容を管理する、
請求項１〜３の何れかに記載の画像管理システム。
【請求項５】
前記管理手段は、同一又は類似の前記画像データが検索されない場合、前記画像入力手段が入力した前記画像データを前記記憶手段に記憶させる、
請求項１〜４の何れかに記載の画像管理システム。
【請求項６】
前記検索手段は、前記記憶手段が記憶する前記複数の画像データの各々の所定領域と、前記画像入力手段が入力した前記画像データの所定領域と、に基づいて検索を行う、
請求項１〜５の何れかに記載の画像管理システム。
【請求項７】
前記記憶手段は、前記複数の画像データの各々と、認証情報と、を関連付けて記憶し、
前記画像管理システムは、前記画像入力手段が前記画像データを入力する場合に、認証入力手段が入力した認証情報を取得する手段を更に含み、
前記検索手段は、前記認証入力手段が入力した前記認証情報に基づいて検索を行う、
請求項１〜６の何れかに記載の画像管理システム。
【請求項８】
表示手段に表示される複数の画像データを記憶する記憶手段の記憶内容を取得する手段と、
画像入力手段が入力した画像データを取得する手段と、
前記記憶手段が記憶する前記複数の画像データの中から、前記画像入力手段が入力した前記画像データと同一又は類似の画像データを検索する検索手段と、
前記検索手段の検索結果に基づいて、前記記憶手段の記憶内容を管理する管理手段と、
を含む画像管理装置。
【請求項９】
表示手段に表示される複数の画像データを記憶する記憶手段の記憶内容を取得する手段、
画像入力手段が入力した画像データを取得する手段、
前記記憶手段が記憶する前記複数の画像データの中から、前記画像入力手段が入力した前記画像データと同一又は類似の画像データを検索する検索手段、
前記検索手段の検索結果に基づいて、前記記憶手段の記憶内容を管理する管理手段、
としてコンピュータを機能させるためのプログラム。
【発明の詳細な説明】
【技術分野】
【０００１】
本発明は画像管理システム、画像管理装置、及びプログラムに関する。
【背景技術】
【０００２】
下記特許文献１には、広告供給者が端末を操作してサーバにアップロードした広告を、広告受給者の端末に表示させるシステムが記載されている。このシステムでは、アップロード済みの広告の表示を管理する場合、広告供給者は、端末を操作してサーバにログインし、アップロード済みの広告の一覧を画面に表示させ、一覧の中から管理対象の広告を探し出して、当該広告の管理画面を表示させる。
【先行技術文献】
【特許文献】
【０００３】
【特許文献１】特開２００２−０４１５３３号公報
【発明の概要】
【発明が解決しようとする課題】
【０００４】
しかし、上記引用文献１に記載の技術では、広告供給者がアップロードした広告の管理画面を端末に表示させるためには、自身の認証情報（例えば、ＩＤやパスワードなどの文字列情報）を入力する必要がある。このため、広告供給者にとって広告の管理が煩雑となる。特に、広告供給者が自身の認容情報を忘れた場合や、広告供給者の代わりに管理を代行する者（例えば、広告供給者の同僚や友人など）が認証情報を把握していない場合、広告の管理を行うことが困難となる。
【０００５】
また、上記引用文献１に記載の技術では、広告供給者が多数の広告をアップロードしている場合、広告供給者はこの中から管理の目的とする広告を探し出す必要があり、広告供給者にとって広告の管理が煩雑である。
【０００６】
本発明の目的は、画像データの表示を管理しやすくすることである。
【課題を解決するための手段】
【０００７】
請求項１に記載の発明は、表示手段に表示される複数の画像データを記憶する記憶手段の記憶内容を取得する手段と、画像入力手段が入力した画像データを取得する手段と、前記記憶手段が記憶する前記複数の画像データの中から、前記画像入力手段が入力した前記画像データと同一又は類似の画像データを検索する検索手段と、前記検索手段の検索結果に基づいて、前記記憶手段の記憶内容を管理する管理手段と、を含む画像管理システムである。
【０００８】
また、請求項２に記載の発明は、前記管理手段は、前記検索手段が検索した同一又は類似の前記画像データを前記記憶手段から削除する、請求項１に記載の画像管理システムである。
【０００９】
また、請求項３に記載の発明は、前記管理手段は、前記検索手段が検索した同一又は類似の前記画像データを前記記憶手段から削除し、前記画像入力手段が入力した前記画像データを前記記憶手段に記憶させる、請求項２に記載の画像管理システムである。
【００１０】
また、請求項４に記載の発明は、前記画像管理システムは、前記検索手段が検索した同一又は類似の前記画像データの表示を管理するため画面を表示手段に表示させる手段を更に含み、前記管理手段は、前記画面における指示内容に基づいて前記記憶手段の記憶内容を管理する、請求項１〜３の何れかに記載の画像管理システムである。
【００１１】
また、請求項５に記載の発明は、前記管理手段は、同一又は類似の前記画像データが検索されない場合、前記画像入力手段が入力した前記画像データを前記記憶手段に記憶させる、請求項１〜４の何れかに記載の画像管理システムである。
【００１２】
また、請求項６に記載の発明は、前記検索手段は、前記記憶手段が記憶する前記複数の画像データの各々の所定領域と、前記画像入力手段が入力した前記画像データの所定領域と、に基づいて検索を行う、請求項１〜５の何れかに記載の画像管理システムである。
【００１３】
また、請求項７に記載の発明は、前記記憶手段は、前記複数の画像データの各々と、認証情報と、を関連付けて記憶し、前記画像管理システムは、前記画像入力手段が前記画像データを入力する場合に、認証入力手段が入力した認証情報を取得する手段を更に含み、前記検索手段は、前記認証入力手段が入力した前記認証情報に基づいて検索を行う、請求項１〜６の何れかに記載の画像管理システムである。
【００１４】
また、請求項８に記載の発明は、表示手段に表示される複数の画像データを記憶する記憶手段の記憶内容を取得する手段と、画像入力手段が入力した画像データを取得する手段と、前記記憶手段が記憶する前記複数の画像データの中から、前記画像入力手段が入力した前記画像データと同一又は類似の画像データを検索する検索手段と、前記検索手段の検索結果に基づいて、前記記憶手段の記憶内容を管理する管理手段と、を含む画像管理装置である。
【００１５】
また、請求項９に記載の発明は、表示手段に表示される複数の画像データを記憶する記憶手段の記憶内容を取得する手段、画像入力手段が入力した画像データを取得する手段、前記記憶手段が記憶する前記複数の画像データの中から、前記画像入力手段が入力した前記画像データと同一又は類似の画像データを検索する検索手段、前記検索手段の検索結果に基づいて、前記記憶手段の記憶内容を管理する管理手段、としてコンピュータを機能させるためのプログラムである。
【発明の効果】
【００１６】
上記請求項１に記載の画像管理システムによれば、画像データの表示の管理をしやすくすることができる。
【００１７】
また、上記請求項２に記載の画像管理システムによれば、入力された画像データと一致又は類似する画像データが表示されなくなるように、画像データの表示を管理することができる。
【００１８】
また、上記請求項３に記載の画像管理システムによれば、入力された画像データと一致又は類似する画像データに代えて、当該入力された画像データが表示されるように、画像データの表示を管理することができる。
【００１９】
また、上記請求項４に記載の画像管理システムによれば、表示された画面における指示内容に基づいて、画像データの表示を管理することができる。
【００２０】
また、上記請求項５に記載の画像管理システムによれば、入力された画像データが表示されるように、画像の表示を管理することができる。
【００２１】
また、上記請求項６に記載の画像管理システムによれば、入力された画像データの所定領域と一致又は類似する所定領域を含む画像データについて、表示を管理することができる。
【００２２】
また、上記請求項７に記載の画像管理システムによれば、第三者の画像データが検索されることを防止することができる。
【００２３】
また、上記請求項８に記載の画像管理装置によれば、画像データの表示の管理をしやすくすることができる。
【００２４】
また、上記請求項９に記載のプログラムによれば、コンピュータを用いて、画像データの表示の管理をしやすくすることができる。
【図面の簡単な説明】
【００２５】
【図１】第１の実施形態に係る画像管理システムの機器構成の一例を示す図である。
【図２】画像管理システムの機能的な構成の一例を示す機能ブロック図である。
【図３】コンテンツ管理画面の一例を示す図である。
【図４】全体処理の一例を示すシーケンス図である。
【図５】コンテンツデータ検索処理の一例を示すフローチャートである。
【図６】画像比較処理の一例を示すフローチャートである。
【図７】コンテンツデータ管理処理の一例を示すフローチャートである。
【図８】第２の実施形態に係る入力画像データのフォーマットの一例を示す図である。
【図９】第２の実施形態に係るコンテンツデータのフォーマットの一例を示す図である。
【図１０】第２の実施形態において実行されるコンテンツデータ検索処理の一例を示すフローチャートである。
【図１１】第３の実施形態に係る画像管理システムの機器構成の一例を示す図である。
【図１２】第３の実施形態に係る画像管理システムの機能的な構成を示す機能ブロック図である。
【図１３】第３の実施形態において実行される全体処理の一例を示すシーケンス図である。
【発明を実施するための形態】
【００２６】
以下に、本発明を実施するための形態の一例である第１乃至第３の実施形態について、図面を参照しながら説明する。なお、本明細書の各図について、既出の図に関して前述したものと同様の要素には同一の符号を付して、詳細な説明を省略することがある。
【００２７】
［１．第１の実施形態］
本実施形態に係る画像管理システム１は、例えば、入力された複数の画像データを広告として順次表示するサイネージシステムとして、市街地や小売店などの店舗内、会社内、図書館や役所など公共施設内などといった人が集まる場所（又は、人を集めたい場所）において活用することができる。
【００２８】
［１−１．画像管理システムの機器構成］
図１は、本実施形態に係る画像管理システム１の機器構成の一例を示す図である。図１に示すように、画像管理システム１は、画像データを広告として表示する表示装置５と、画像データの表示を管理する画像管理装置１０と、画像データを入力する画像入力装置２０と、入力された複数の画像データを記憶する画像記憶装置３０と、を含む。
【００２９】
表示装置５は、ディスプレイやプロジェクターなどであり、画像管理システム１において管理される複数の画像データを順次表示する。表示装置５は、例えば、画像データの内容を広告することを目的として、人の集まる場所（又は、人を集めたい場所）に設置される。
【００３０】
画像管理装置１０は、パソコンやサーバなどの情報処理装置（コンピュータ）によって構成される。画像管理装置１０は、マイクロプロセッサ等の制御部と、ＲＡＭやハードディスクなどの記憶部と、通信インターフェイスとを有し、この通信インターフェイスを介して画像入力装置２０から入力された画像データの表示について管理する。画像管理装置１０の機能の詳細については後述する。
【００３１】
画像入力装置２０は、例えば、複合機やスキャナなどによって構成される。画像入力装置２０は、画像管理装置１０と同様に、制御部、記憶部、通信インターフェイスを有する他に、ディスプレイなどの表示部と、操作ボタンやタッチパネルなどの操作部と、用紙などの物体の表面を光学的に読取って画像データを生成する読取部を有する。画像入力装置２０は、読取部で読み取って生成した画像データを、通信インターフェイスを用いて送信することによって、画像記憶装置３０に画像データを入力する。以降、このようにして画像記憶装置３０に入力される画像データを、入力画像データ６０とも呼ぶ。
【００３２】
なお、画像入力装置２０は、パソコンやタブレット端末、携帯電話（例えばスマートフォン）などの情報処理装置によって構成されてもよい。この場合、画像入力装置２０は、制御部、記憶部、通信インターフェイス、表示部、及び、キーボードやマウス、タッチパネルなどの操作部を有し、インターネットなどの通信ネットワーク上からダウンロードした画像データや、所与の画像形成処理により形成した画像データなどを入力画像データ６０として、画像記憶装置３０に入力してよい。
【００３３】
他にも例えば、画像入力装置２０は、ハードディスクやメモリーカードなどの情報記憶媒体により構成されることとしてよく、この場合、画像入力装置２０は、バスを介して直接的に接続される画像記憶装置３０に対して、入力画像データ６０を入力してもよい。
【００３４】
画像記憶装置３０は、サーバなどの情報処理装置によって構成され、画像管理装置１０と同様の制御部と、記憶部と、通信インターフェイスとを有する。画像記憶装置３０は、記憶部において、表示装置５に表示させる画像データ（以降、コンテンツデータ７０とも呼ぶ）を複数記憶する。画像管理装置１０と画像記憶装置３０とは、インターネットやイントラネットなどの共通の通信ネットワークに接続されており、相互にデータの授受が可能となっている。
【００３５】
［１−２．機能的な構成］
図２は、画像管理システム１の機能的な構成を示す機能ブロック図である。図２に示すように、画像管理装置１０は、機能的には、管理方法設定部１１と、管理部１２と、表示制御部１３とを有する。また、画像記憶装置３０は、機能的には、画像データ取得部３１と、コンテンツデータ記憶部３２と、記憶内容取得部３３と、検索部３４と、配信部３５を有する。
【００３６】
［１−２−１．画像データ取得部］
画像データ取得部３１は、画像入力装置２０が入力した入力画像データ６０を取得する。画像データ取得部３１は、画像記憶装置３０の通信インターフェイスを用いて画像入力装置２０から入力画像データ６０を受信してよいし、画像記憶装置３０のバスを介して直接的に接続された画像入力装置２０内の入力画像データ６０を取得してもよい。なお、画像データ取得部３１は、画像記憶装置３０の制御部及び通信インターフェイスにより実現されてよい。
【００３７】
［１−２−２．コンテンツデータ記憶部］
コンテンツデータ記憶部３２は、表示装置５に表示させる画像データであるコンテンツデータ７０を複数記憶する。なお、コンテンツデータ記憶部３２は、画像記憶装置３０の記憶部により実現されてよい。
【００３８】
［１−２−３．記憶内容取得部］
記憶内容取得部３３は、コンテンツデータ記憶部３２に記憶される記憶内容を取得する。より具体的には、コンテンツデータ記憶部３２には、表示装置５に表示させる複数のコンテンツデータ７０が記憶されており、記憶内容取得部３３は、画像記憶装置３０の記憶内容として、複数のコンテンツデータ７０を取得する。なお、記憶内容取得部３３は、画像記憶装置３０の制御部により実現されてよい。
【００３９】
［１−２−４．検索部］
検索部３４は、コンテンツデータ記憶部３２が記憶する複数のコンテンツデータ７０の中から、画像入力装置２０が入力した入力画像データ６０と同一又は類似のコンテンツデータ７０を検索する。より具体的には、検索部３４は、各コンテンツデータ７０と、入力画像データ６０にそれぞれ描かれる画像について、所与の画像比較処理を行うことにより、入力画像データ６０と同一又は類似のコンテンツデータ７０を検索する。例えば、検索部３４は、各画像から抽出した画像特徴の相関値が最大であれば一致と判定し、画像特徴の相関値が基準値の範囲内であれば類似と判定する。
【００４０】
また、検索部３４は、検索されたコンテンツデータ７０を画像管理装置１０に通知する。なお、検索部３４は、画像記憶装置３０の制御部及び通信インターフェイスにより実現されてよい。
【００４１】
［１−２−５．管理方法設定部］
管理方法設定部１１は、入力画像データ６０と同一又は類似のコンテンツデータ７０の表示に関する管理方法を設定する。より具体的には、管理方法設定部１１は、検索部３４が検索した、入力画像データ６０と同一又は類似のコンテンツデータ７０の表示を管理するためのコンテンツ管理画面５０を、表示装置５や画像入力装置２０の表示部などの表示装置に表示させる。なお、管理方法設定部１１は、画像管理装置１０の制御部及び通信インターフェイスにより実現されてよい。
【００４２】
図３は、コンテンツ管理画面５０の一例を示す図である。図３に示すように、コンテンツ管理画面５０には、入力画像データ６０の内容を表示する入力画像表示領域５１０と、検索されたコンテンツデータ７０を一覧表示する検索結果表示領域５２０と、管理の内容を示す複数の選択ボタン５３０が表示される。
【００４３】
ここで、コンテンツ管理画面５０の入力画像表示領域５１０には、入力画像データ６０に描かれた画像が表示される。また、コンテンツ管理画面５０の検索結果表示領域５２０には、検索された複数のコンテンツデータ７０の各々に描かれた画像と、複数のコンテンツデータ７０の各々に対応するチェックボックス５２１が表示される。コンテンツ管理画面５０において、広告供給者は、画像入力装置２０に設けられた操作部を用いて、各チェックボックス５２１の選択状態（即ち、チェックの有り無し）を切り替えることが可能である。
【００４４】
また、コンテンツ管理画面５０には、複数の選択ボタン５３０として、選択画像削除ボタン５３１と、選択画像更新ボタン５３２と、入力画像追加ボタン５３３と、キャンセルボタン５３４が表示される。管理方法設定部１１は、広告供給者によるいずれかの選択ボタン５３０の入力を受け付けて、「選択画像削除」「選択画像更新」「入力画像追加」「キャンセル」の中から１つの管理方法を設定し、コンテンツ管理画面５０の表示を終了する。なお、コンテンツ管理画面５０が表示されてから一定時間が経過した場合も、管理方法設定部１１は、管理方法に「キャンセル」を設定して、コンテンツ管理画面５０の表示を終了してもよい。
【００４５】
なお、検索部３４により入力画像データ６０と同一又は類似のコンテンツデータ７０が検索されなかった場合、管理方法設定部１１は、コンテンツ管理画面５０を表示させることなく予め定められた管理方法（例えば、「入力画像追加」）を設定する。なお、このように同一又は類似のコンテンツデータ７０が検索されなかった場合、管理方法設定部１１は、管理方法の選択を促す画面（例えば、「入力画像追加」「キャンセル」にそれぞれに対応する２つの選択欄が設けられた画面（図示せず））を表示させて、この画面において広告供給者により選択された管理方法を設定してもよい。
【００４６】
なお、入力画像データ６０と同一又は類似のコンテンツデータ７０が検索された場合であっても、管理方法設定部１１は、コンテンツ管理画面５０を表示させずに予め定められた管理方法（例えば、検索されたコンテンツデータ７０をすべて選択した上での「選択画像更新」又は「選択画像削除」）を設定してもよい。
【００４７】
［１−２−６．管理部］
管理部１２は、画像記憶装置３０の検索部３４の検索結果に基づいて、コンテンツデータ記憶部３２の記憶手段の記憶内容を管理する。また、管理部１２は、コンテンツ管理画面５０における広告供給者の指示内容に基づいて、コンテンツデータ記憶部３２の記憶手段の記憶内容を管理する。即ち、管理部１２は、検索部３４により検索された入力画像データ６０と同一又は類似のコンテンツデータ７０のうち、コンテンツ管理画面５０において選択されたコンテンツデータ７０に関する記憶内容を変更することにより、当該コンテンツデータ７０の表示に関する記憶内容を管理する。なお、管理部１２は、画像管理装置１０の制御部及び通信インターフェイスにより実現されてよい。
【００４８】
例えば、コンテンツ管理画面５０において、選択画像削除ボタン５３１が押された場合（即ち、管理方法設定部１１が「選択画像削除」を設定した場合）、管理部１２は、検索部３４が検索した同一又は類似のコンテンツデータ７０のうち、広告供給者により選択された（具体的には、チェックボックス５２１をチェック有りにされた）コンテンツデータ７０を画像記憶装置３０のコンテンツデータ記憶部３２から削除する。このようにして、管理部１２は、選択されたコンテンツデータ７０が表示装置５に表示されなくなるように、コンテンツデータ記憶部３２の記憶内容を管理する。
【００４９】
また、コンテンツ管理画面５０において、選択画像更新ボタン５３２が押された場合（即ち、管理方法設定部１１が「選択画像更新」を設定した場合）、管理部１２は、広告供給者により選択された（チェック有りにされた）コンテンツデータ７０をコンテンツデータ記憶部３２から削除して、画像入力装置２０が入力した入力画像データ６０を新たなコンテンツデータ７０としてコンテンツデータ記憶部３２に記憶させる。このようにして、管理部１２は、選択されたコンテンツデータ７０の代わりに入力画像データ６０が表示装置５に表示されるように、コンテンツデータ記憶部３２の記憶内容を管理する。
【００５０】
また、コンテンツ管理画面５０において、入力画像追加ボタン５３３が押された場合や、検索部３４において入力画像データ６０と同一又は類似のコンテンツデータ７０が検索されない場合（即ち、管理方法設定部１１が「入力画像追加」を設定した場合）、管理部１２は、コンテンツデータ記憶部３２に記憶されたコンテンツデータ７０を削除することなく、入力された入力画像データ６０をコンテンツデータ記憶部３２に記憶させる。このようにして、管理部１２は、入力された入力画像データ６０が表示装置５に表示されるように、コンテンツデータ記憶部３２の記憶内容を管理する。
【００５１】
また、コンテンツ管理画面５０において、キャンセルボタン５３４が押されたか、コンテンツ管理画面５０が表示されてから一定時間が経過した場合（即ち、管理方法設定部１１が「キャンセル」を設定した場合）、管理部１２は、入力された入力画像データ６０をコンテンツデータ記憶部３２に記憶させずに処理を終了する。即ち、キャンセルボタン５３４が押された場合、管理部１２は、現在の記憶内容を変更せずに処理を終了する。
【００５２】
また、管理部１２は、コンテンツデータ７０の削除や更新、追加を行う他にも、各コンテンツデータ７０が表示されるスケジュール（例えば、表示される順番や表示時間、表示頻度など）を管理してもよい。また、管理部１２は、各コンテンツデータ７０の表示の態様（例えば、画像の色調、表示サイズ、表示位置、表示させる際の視覚的な効果（エフェクト）など）について管理してもよい。この場合、管理部１２は、管理データに、各コンテンツデータ７０のスケジュールや表示の態様を記録することにより、各コンテンツデータ７０の表示に関する記憶内容を管理してよい。なお、上記管理データは、コンテンツデータ記憶部３２のみならず、画像記憶装置３０の記憶部や画像管理装置１０の記憶部などにおいて記憶されてよい。
【００５３】
また、このように、管理部１２が管理データを利用してコンテンツデータ７０の表示を管理する場合、管理部１２は、コンテンツデータ記憶部３２に記憶されるコンテンツデータ７０を削除することなく、このコンテンツデータ７０が表示装置５に表示されなくなるように管理してもよい。より具体的には、管理データは、複数のコンテンツデータ７０のそれぞれについて、表示するか否かを定める情報（表示フラグ）を含み、管理部１２は、管理データの表示フラグを書き換えることにより、各コンテンツデータ７０の表示／非表示について管理してもよい。
【００５４】
［１−２−７．配信部］
配信部３５は、表示装置５に表示させる複数のコンテンツデータ７０を、画像管理装置１０に配信する。配信部３５は、コンテンツデータ記憶部３２に記憶されるコンテンツデータ７０の全てを配信してもよいし、管理データなどにおいて表示対象に設定されている一部のコンテンツデータ７０のみを配信してもよい。なお、配信部３５は、画像記憶装置３０の制御部及び通信制御部により実現されてよい。
【００５５】
［１−２−８．表示制御部］
表示制御部１３は、配信部３５により配信された複数のコンテンツデータ７０を、表示装置５に表示させる。各コンテンツデータ７０が表示されるスケジュール（例えば、表示される順番や表示時間、表示頻度など）や、表示の態様（例えば、画像の色調、表示サイズ、表示位置、エフェクトなど）は、管理部１２により予め決められてもよいし、ランダムに決まってもよい。ここで、上記スケジュールが予め決められている場合、表示制御部１３は、決められたスケジュールの順番で、各コンテンツデータ７０を順次表示させる。なお、表示制御部１３は、画像管理装置１０の制御部及び通信インターフェイスにより実現されてよい。
【００５６】
［１−３．処理の流れ］
以下では、本実施形態に係る画像管理システム１において実行される処理の一例を、図４に示したシーケンス図と、図５、図６に示したフローチャートに基づいて説明する。
【００５７】
［１−３−１．全体処理（１）］
図４は、画像管理システム１において実行される全体処理の一例を示すシーケンス図である。画像記憶装置３０に入力画像データ６０が入力されると（ステップＳ１０１：Ｙ）、画像記憶装置３０の検索部３４は、コンテンツデータ検索処理を実行する（ステップＳ１０２）ここで、ステップＳ１０２において実行される処理の詳細について、図５に示すフローチャートに基づき説明する。
【００５８】
［１−３−２．コンテンツデータ検索処理（１）］
図５は、画像記憶装置３０において実行されるコンテンツデータ検索処理の一例を示すフローチャートである。図５に示すように、画像記憶装置３０の記憶内容取得部３３は、コンテンツデータ記憶部３２に記憶されている複数のコンテンツデータ７０を取得する（ステップＳ２０１）。
【００５９】
画像記憶装置３０の検索部３４は、入力画像データ６０とコンテンツデータ７０のそれぞれに描かれる画像に対し、画像比較処理を実行する（ステップＳ２０２）。ここで、図６に進み、画像比較処理の詳細について説明する。
【００６０】
［１−３−３．画像比較処理］
図６は、画像記憶装置３０において実行される画像比較処理の一例を示すフローチャートである。画像記憶装置３０の検索部３４は、各画像データに描かれる画像に対して、フィルタリングやノイズ除去、解像度変換、色空間変換などといった前処理を施す（ステップＳ３０１）。なお、解像度変換を行う場合、超解像度技術などにより、それぞれの画像特徴が鮮明になるようにするとよい。
【００６１】
検索部３４は、前処理が施された各画像に対して、多重解像度解析などによるエッジ検出処理（ステップＳ３０２）、ハフ変換などによる形状検出処理（ステップＳ３０３）を行う。そして、検索部３４は、それぞれの画像から検出された複数の形状情報を統計的に解析する多変量解析を行うことにより（ステップＳ３０４）、各画像の相関値を算出する（ステップＳ３０５）。
【００６２】
検索部３４は、算出された相関値に基づいて、各画像の一致又は類似を判定し（ステップＳ３０６）、画像比較処理を終了する。検索部３４は、例えば、算出された相関値が最大であれば、比較を行った各画像データに対して一致と判定し、相関値が閾値の範囲内であれば、比較を行った各画像データに対して類似と判定する。
【００６３】
なお、検索部３４は、上記のような画像特徴の解析に限らず、例えば、パターンマッチングなどの公知の方法により画像比較を行うこととしてもよい。ここで、図５に戻り説明を続ける。
【００６４】
［１−３−４．コンテンツデータ検索処理（２）］
図５に戻り、入力画像データ６０とコンテンツデータ７０のそれぞれのコンテンツ領域の画像について、一致又は類似と判定される場合（ステップＳ２０３：Ｙ）、検索部３４は、当該判定されたコンテンツデータ７０を、検索されたコンテンツデータ７０として保持する（ステップＳ２０４）。検索部３４は、ステップＳ２０１において取得されたすべてのコンテンツデータ７０に対して、ステップＳ２０２〜ステップＳ２０４の処理を繰り返す。すべてのコンテンツデータ７０に対する判定が完了すると（ステップＳ２０５：Ｙ）、検索部３４はコンテンツデータ検索処理を終了する。ここで、図４に戻り説明を続ける。
【００６５】
［１−３−５．全体処理（２）］
図４に戻り、ステップＳ１０２の検索処理において、入力画像データ６０と一致又は類似するコンテンツデータ７０が検索されない場合（ステップＳ１０３：Ｎ）、コンテンツデータ記憶部３２が入力画像データ６０を新たなコンテンツデータ７０として記憶して（ステップＳ１０４）、処理を終了する。
【００６６】
一方、入力画像データ６０と一致又は類似するコンテンツデータ７０が検索された場合（ステップＳ１０３：Ｙ）、検索部３４は、検索されたコンテンツデータ７０を画像管理装置１０に通知する（ステップＳ１０５）、画像管理装置１０の管理方法設定部１１は、コンテンツ管理画面５０を、表示装置５（又は、画像入力装置２０の表示部）に表示させて、この画面において、コンテンツデータ７０の選択と、管理方法の選択を待ち受ける（ステップＳ１０６）。管理方法設定部１１は、広告供給者による選択操作に応じて、「選択画像削除」「選択画像更新」「入力画像追加」「キャンセル」のうちのいずれか１つを管理方法に設定する。なお、入力画像データ６０と一致又は類似するコンテンツデータ７０が複数検索された場合、コンテンツ管理画面５０の検索結果表示領域５２０（図３参照）には、当該複数のコンテンツデータ７０が、入力画像データ６０と類似する順（例えば、ステップＳ３０５で算出された相関値の高い順）に並べ替えられた状態で表示されてもよい。
【００６７】
管理方法設定部１１により管理方法が設定されると（ステップＳ１０７：Ｙ）、画像管理装置１０の管理部１２は、コンテンツデータ管理処理を実行する（ステップＳ１０８）。ここで、図７に進み、コンテンツデータ管理処理の詳細について説明する。
【００６８】
［１−３−６．コンテンツデータ管理処理］
図７は、画像管理装置１０において実行されるコンテンツデータ管理処理の一例を示すフローチャートである。図７に示すように、管理方法設定部１１が「キャンセル」を設定した場合（ステップＳ４０１：Ｙ）、管理部１２は、管理の内容を変更することなく処理を終了する。また、管理方法設定部１１が「選択画像削除」を設定した場合（ステップＳ４０２：Ｙ）、管理部１２は、コンテンツ管理画面５０において選択されたコンテンツデータ７０を削除する指示を画像記憶装置３０に送信し、画像記憶装置３０が当該選択されたコンテンツデータ７０をコンテンツデータ記憶部３２から削除して（ステップＳ４０３）、処理を終了する。
【００６９】
また、管理方法設定部１１が「選択画像更新」を設定した場合（ステップＳ４０４：Ｙ）、管理部１２は、コンテンツ管理画面５０において選択されたコンテンツデータ７０を削除するとともに入力画像データ６０を記憶する指示を画像記憶装置３０に送信し、画像記憶装置３０が当該選択されたコンテンツデータ７０を削除するとともに、コンテンツデータ記憶部３２に入力画像データ６０を新たなコンテンツデータ７０としてコンテンツデータ記憶部３２に記憶させて（ステップＳ４０５）、処理を終了する。また、管理方法設定部１１が「選択画像追加」を設定した場合（ステップＳ４０４：Ｎ）、管理部１２は、入力画像データ６０を記憶する指示を画像記憶装置３０に送信し、画像記憶装置３０が入力画像データ６０をコンテンツデータ記憶部３２に記憶させて（ステップＳ４０６）、処理を終了する。
【００７０】
このように、画像管理装置１０は、入力された入力画像データ６０と一致又は類似するコンテンツデータ７０を削除したり、入力画像データ６０を新たなコンテンツデータ７０としてコンテンツデータ記憶部３２に記憶させたりすることで、表示装置５における画像の表示を管理する。このようにすることで、広告供給者は、自身が過去に供給したコンテンツデータ７０について、これと一致又は類似する画像が描かれた用紙や、一致又は類似する入力画像データ６０が記憶された記憶媒体を所持していれば、パソコンなどの端末を用いて認証データを入力することなく、当該コンテンツデータ７０の表示を管理することが可能となる。即ち、広告供給者の認証データに関連付けてコンテンツデータ７０を管理する場合に比べて、広告供給者は、自身が過去に入稿したコンテンツデータ７０の表示を管理しやすくなる。
【００７１】
また、広告供給者が多数のコンテンツデータ７０を供給している場合であっても、広告供給者が入力した画像と一致又は類似するコンテンツデータ７０が検索されるため、広告供給者は所望のコンテンツデータ７０を速やかに見つけることができる。
【００７２】
また、コンテンツ管理画面５０は、予め記憶されたコンテンツデータ７０と一致又は類似する入力画像データ６０が入力された場合に表示されるものであるため、コンテンツデータ７０と一致又は類似する画像を所有していない第三者は、既に記憶されたコンテンツデータ７０について、管理方法を指示することはできない。即ち、画像管理装置１０は、広告供給者（及び、その関係者）のみが自身のコンテンツデータ７０を削除又は更新することを許可するものであり、第三者による既存のコンテンツデータ７０の改ざんを防止するものとなる。
【００７３】
［２．第２の実施形態］
次に、本発明の第２の実施形態に係る画像管理システム１について、図８〜図１０を参照しながら説明する。第２の実施形態では、入力画像データ６０のフォーマットが予め決められていることを前提としている。
【００７４】
［２−１．入力画像データ］
図８は、入力画像データ６０のフォーマットの一例を示す図である。同図に示すように、入力画像データ６０には、位置及び大きさが予め定められた、コンテンツ領域６１及びＯＣＲ領域６２が設けられている。コンテンツ領域６１には、表示装置５において表示すべき内容が描かれている。ＯＣＲ領域６２には、入力画像に関する情報として、広告供給者に関する情報（例えば、企業名や団体名、店舗名、所在地の住所や電話番号）や、広告内容に関する情報（例えば、商品の種類や名称、価格）（広告が不動産物件に関する者であれば、物件の住所や部屋番号、家賃）などが記載されている。なお、ＯＣＲ領域６２に描かれる内容は、活字の文字であってもよいし、手書き文字であってもよい。
【００７５】
［２−２．コンテンツデータ］
図９は、コンテンツデータ７０のフォーマットの一例を示す図である。ここでは、画像入力装置２０から取得した入力画像データ６０そのものがコンテンツデータ７０として記憶されるため、コンテンツデータ７０には、入力画像データ６０と同様に、コンテンツ領域７１及びＯＣＲ領域７２が含まれる。
【００７６】
［２−３．機能的な構成］
以下では、第２の実施形態に係る画像管理システム１の機能的な構成について、特に第１の実施形態と相違する点について説明する。なお、ここでの機能ブロック図は、第１の実施形態の場合と同様であるため、図示は省略する。
【００７７】
第２の実施形態に係るコンテンツデータ記憶部３２は、コンテンツデータ７０のＯＣＲ領域７２の記述から読み取られた文字列情報（以降、ＯＣＲ情報とも呼ぶ）を、当該コンテンツデータ７０に関連付けた状態で記憶する。なお、コンテンツデータ７０自体がＯＣＲ情報を含んでいてもよい。
【００７８】
また、第２の実施形態に係る検索部３４は、複数のコンテンツデータ７０の各々の所定領域と、入力画像データ６０の所定領域と、に基づいて検索を行う。より具体的には、検索部３４は、入力画像データ６０のＯＣＲ領域６２と同一又は類似のコンテンツデータ７０を検索する。検索部３４は、入力画像データ６０のＯＣＲ領域６２の内容（活字や手書き文字など）を読み取って、これとコンテンツデータ７０のＯＣＲ領域７２から読み取った文字列情報（即ち、ＯＣＲ情報）とを比較することにより、入力画像データ６０と一致又は類似するコンテンツデータ７０を検索する。検索部３４は、例えば、比較する文字列同士に相違する文字が無ければ一致と判断し、相違する文字数が閾値の範囲内であれば類似と判断する。
【００７９】
また、第２の実施形態に係る管理部１２は、入力画像データ６０を新たなコンテンツデータ７０としてコンテンツデータ記憶部３２に記憶させる場合、当該入力画像データ６０のＯＣＲ領域６２から読み取った文字列情報をＯＣＲ情報として、当該新たなコンテンツデータ７０に関連付けてコンテンツデータ記憶部３２に記憶させる。なお、管理部１２は、コンテンツデータ７０にＯＣＲ情報を含めて記憶させてもよい。
【００８０】
このように、管理部１２がコンテンツデータ７０に関連付けてＯＣＲ情報を記憶させることにより、検索部３４は、検索の際にコンテンツデータ７０のＯＣＲ領域７２に記載される内容を読み取る必要がなく、事前に用意された文字列情報を用いて文字列同士の一致判定による検索を行うことが可能となる。
【００８１】
なお、第２の実施形態に係る表示制御部１３は、配信部３５により配信されるコンテンツデータ７０の画像領域全体のうち、コンテンツ領域７１（図９参照）に描かれる画像を順次表示させるものとなる。
【００８２】
［２−４．処理の流れ］
第２の実施形態では、画像記憶装置３０の検索部３４が、複数のコンテンツデータ７０のＯＣＲ領域７２（即ち、ＯＣＲ情報）と、入力画像データ６０のＯＣＲ領域６２と、に基づいて検索を行う。この点において、第２の実施形態は、第１の実施形態と相違する。以下では、第２の実施形態に係る検索部３４において実行されるコンテンツデータ検索処理の一例を、図１０に示したフローチャートに基づいて説明する。
【００８３】
画像記憶装置３０の検索部３４は、コンテンツデータ記憶部３２に記憶されるコンテンツデータ７０及びＯＣＲ情報を取得する（ステップＳ５０１）。検索部３４は、入力画像データ６０のＯＣＲ領域６２に記載される内容を読み取って文字列情報に変換し（ステップＳ５０２）、ＯＣＲ情報と文字列比較を行うことにより、ＯＣＲ情報の一致判定を行う（ステップＳ５０３）。
【００８４】
入力画像データ６０の記載から変換した文字列情報と、ＯＣＲ情報が一致又は類似する場合（ステップＳ５０４：Ｙ）、検索部３４は、当該ＯＣＲ情報に関連付けられたコンテンツデータ７０を、検索されたコンテンツデータ７０として保持する（ステップＳ５０５）。検索部３４は、ステップＳ２０１において取得されたすべてのコンテンツデータ７０及びＯＣＲ情報に対して、ステップＳ５０３〜ステップＳ５０５の処理を繰り返す。すべてのＯＣＲ情報に対する判定が完了すると（ステップＳ５０６：Ｙ）、検索部３４はコンテンツデータ検索処理を終了する。
【００８５】
そうすると、第１の実施形態と同様に、検索部３４は、検索されたコンテンツデータ７０を画像管理装置１０に通知し、画像管理装置１０は、広告供給者による管理方法の選択を受け付けて、検索されたコンテンツデータ７０の表示について管理する。
【００８６】
このように、第２の実施形態に係る検索部３４は、ＯＣＲ情報の文字列比較によりコンテンツデータ７０の検索を行うため、第１の実施形態のように画像比較処理により検索を行う場合と比べて、より高速に検索を行うことが可能となる。
【００８７】
［３．第３の実施形態］
次に、本発明の第３の実施形態に係る画像管理システム１について、図１１〜図１３を参照しながら説明する。
【００８８】
［３−１．機器構成］
図１１は、第３の実施形態に係る画像管理システム１の機器構成の一例を示す図である。図１１に示すように、第３の実施形態に係る画像管理システム１は、特に、認証データ入力装置４０を含む。また、第３の実施形態に係る画像記憶装置３０は、認証データ入力装置４０から入力された認証データに基づいて広告供給者を認証するとともに、当該認証データに基づいて画像記憶装置３０に記憶されたコンテンツデータ７０の検索を行う。
【００８９】
認証データ入力装置４０は、広告供給者から取得した認証データを、画像管理装置１０を介して画像記憶装置３０に入力する。ここで、認証データ入力装置４０は、例えば、カメラなどの撮像装置により実現されてよく、この場合の認証データは、広告供給者を撮影することで得られる撮影データ（顔データや指紋データ、掌紋データ）などとしてよい。また例えば、認証データ入力装置４０は、カードリーダーなどの媒体読取装置により実現されてもよく、この場合の認証データは、カードなどの記憶媒体から読み取った媒体情報（カード情報、電子ＩＤ）などとしてよい。
【００９０】
他にも例えば、認証データ入力装置４０は、画像入力装置２０の操作部（具体的には、キーボードやマウス、タッチパネルなど）により実現されてもよく、この場合の認証データは、広告供給者により入力された文字列情報（入力ＩＤ、パスワード）などとしてよい。また例えば、認証データ入力装置４０は、マイクなどの音声収録装置により実現されてもよく、この場合の認証データは、広告供給者の声による音声データとしてよい。なお、上記のような広告供給者の身体特徴を示す撮像データや音声データは、広告供給者に固有の情報であるため、広告供給者が認証データの内容を暗記する必要や認証データを記憶した記憶媒体を携帯する必要がない、第三者が他人の認証データを偽って入力することができない、などの利点がある。
【００９１】
また、第３の実施形態に係る画像入力装置２０は、広告供給者により入力された入力画像データ６０とともに、認証データ入力装置４０から取得した認証データを画像記憶装置３０に入力する。
【００９２】
また、第３の実施形態に係る画像記憶装置３０は、認証データ入力装置４０が入力した認証データに基づいて広告供給者を認証する。そして、画像記憶装置３０は、広告供給者の認証に成功した場合、入力された認証データに基づいてコンテンツデータ７０を検索する。より具体的には、画像記憶装置３０は、複数のコンテンツデータ７０の各々に認証データが関連付けられた状態で記憶しており、画像記憶装置３０は、入力された認証データの内容が一致し、かつ、入力された入力画像データ６０と一致又は類似のコンテンツデータ７０を検索して、検索結果を画像管理装置１０に通知する。
【００９３】
一方、広告供給者の認証に失敗した場合、画像記憶装置３０は、コンテンツデータ７０の検索を行わない。この場合、画像記憶装置３０は、認証に失敗した認証データを、新規の広告供給者の認証データとして登録してよい。
【００９４】
［３−２．機能ブロック］
以下では、第３の実施形態に係る画像管理システム１の機能的な構成について、特に第１及び第２の実施形態と相違する点について説明する。
【００９５】
図１２は、第３の実施形態に係る画像管理システム１の機能的な構成を示す機能ブロック図である。図１２に示すように、第３の実施形態に係る画像記憶装置３０は、機能として、認証データ取得部３８と、認証部３９を有する。
【００９６】
認証データ取得部３８は、画像入力装置２０が入力画像データ６０を入力する場合に、認証データ入力装置４０が入力した認証データを取得する。ここで取得される認証データは、後述する認証部３９による認証と、検索部３４によるコンテンツデータ７０の検索に利用される。
【００９７】
認証部３９は、入力された認証データに基づいて、広告供給者を認証する。具体的には、認証部３９は、認証データ取得部３８が取得した認証データが所与の条件を満たす場合（例えば、予め登録された認証データの内容と合致する場合など）に、広告供給者の認証に成功したと判断し、当該認証データが上記条件を満たさない場合、広告供給者の認証に失敗したと判断する。
【００９８】
なお、認証部３９は、広告供給者の認証に失敗した場合、当該認証データを新規の広告認証データとして登録してよい。なお、認証部３９は、認証データを登録するか否かの選択を促す画面を表示装置５（又は、画像入力装置２０の表示部）に表示させて、広告供給者により登録の選択を受け付けた場合に、認証データを登録してもよい。
【００９９】
なお、認証部３９は、画像記憶装置３０の制御部や記憶部、通信インターフェイスにより実現されてよく、認証部３９は、画像記憶装置３０の記憶部を用いて、登録された複数の認証データを記憶してよい。
【０１００】
また、第３の実施形態に係るコンテンツデータ記憶部３２は、複数のコンテンツデータ７０の各々と、認証データと、を関連付けて記憶している。
【０１０１】
また、第３の実施形態に係る検索部３４は、認証データ入力装置４０が入力した認証データに基づいて検索を行う。より具体的には、検索部３４は、入力された認証データと同一の認証データが関連付けられており、かつ、入力された入力画像データ６０と一致又は類似するコンテンツデータ７０を検索する。
【０１０２】
また、第３の実施形態に係る画像管理装置１０の管理部１２は、入力画像データ６０と認証データを関連付けて、新たなコンテンツデータ７０として、画像記憶装置３０のコンテンツデータ記憶部３２に記憶させる。このようにすることで、検索部３４は、入力した認証データに基づいてコンテンツデータ７０を検索することができるようになる。
【０１０３】
［３−３．処理の流れ］
以下では、第３の実施形態に係る画像管理システム１において実行される処理の一例を、図１３に示したシーケンス図に基づいて説明する。
【０１０４】
図１３は、画像管理システム１において実行される全体処理の一例を示すシーケンス図である。画像記憶装置３０に入力画像データ６０及び認証データが入力されると（ステップＳ６０１）、画像記憶装置３０の認証部３９は、入力された認証データに基づいて広告供給者を認証する（ステップＳ６０２）。認証部３９は、例えば、入力された認証データが予め登録されている認証データの内容と一致する場合、認証に成功したと判断し、登録されている認証データの内容と相違する場合、認証に失敗したと判断する。
【０１０５】
ステップＳ６０２において認証に失敗した場合（ステップＳ６０３：Ｎ）、認証部３９は、この認証データを新規の広告供給者の認証データとして登録する（ステップＳ６０３）。なお、この場合、コンテンツデータ記憶部３２は、この認証データと、入力された入力画像データとを関連付けて、新規の広告供給者のデータとして記憶してもよい。
【０１０６】
ステップＳ６０２において認証に成功した場合（ステップＳ６０２：Ｙ）、画像記憶装置３０の検索部３４は、コンテンツデータ検索処理を実行する（ステップＳ６０５）。第３の実施形態では、検索部３４は、入力された認証データの内容が一致し、かつ、入力された入力画像データ６０と一致又は類似するコンテンツデータ７０を検索する。より具体的には、検索部３４は、入力された認証データと一致する認証データが関連付けられたコンテンツデータ７０を検索した後に、第１の実施形態（又は、第２の実施形態）と同様の画像比較処理（又は、ＯＣＲ情報の文字列比較処理）による検索を行う。なお、検索部３４は、上記画像比較処理やＯＣＲ情報の文字列比較処理による検索を行った後に、認証データが一致するコンテンツデータ７０を検索してもよい。
【０１０７】
ステップＳ６０５においてコンテンツデータ７０が検索されなかった場合（ステップＳ６０６：Ｙ）、コンテンツデータ記憶部３２は、入力画像データ６０を新たなコンテンツデータ７０とし、これと認証データとを関連付けて記憶して（ステップＳ６０７）、処理を終了する。
【０１０８】
一方、コンテンツデータ７０が検索された場合（ステップＳ６０６：Ｙ）、検索部３４は、検索されたコンテンツデータ７０を画像管理装置１０に通知する（ステップＳ６０８）。そうすると、画像管理装置１０の管理方法設定部１１は、第１の実施形態と同様のコンテンツ管理画面５０を表示装置５などに表示させ（ステップＳ６０９）、広告供給者による選択操作に応じて、「選択画像削除」「選択画像更新」「入力画像追加」「キャンセル」といった管理方法を設定する。
【０１０９】
いずれかの管理方法が選択されると、画像管理装置１０の管理部１２、第１の実施形態と同様のコンテンツデータ管理処理（図９参照）を実行して（ステップＳ６１１）、処理を終了する。ここで、第３の実施形態に係る管理部１２は、入力画像データ６０を新たなコンテンツデータ７０としてコンテンツデータ記憶部３２に記憶させる場合（ステップＳ４０５及びＳ４０６）、入力された認証データと関連付けて記憶させる点で、第１及び第２の実施形態の場合と相違する。このようにして、コンテンツデータ記憶部３２がコンテンツデータ７０と認証データとを関連付けて記憶することにより、検索部３４は、入力された認証データに基づいて、コンテンツデータ７０の検索を行うことが可能となる。
【０１１０】
また、検索部３４は、認証データが異なる第三者のコンテンツデータ７０を検索しないため、広告供給者が所望するコンテンツデータ７０の検索精度をより向上させることが可能になる。
【０１１１】
［４．変形例］
以上、本発明の一例である第１及び第３の実施形態について説明したが、本発明は上記実施形態に限定されるものではない。以下、本発明を実施するための他の形態の例（変形例）について説明する。
【０１１２】
（１）第１乃至第３の実施形態では、画像データ取得部３１、コンテンツデータ記憶部３２、記憶内容取得部３３、検索部３４などの各種機能が、画像記憶装置３０において実現される場合について説明したが、これらの機能は、画像管理装置１０側で実現されてもよい。例えば、画像管理装置１０が入力画像データ６０と一致又は類似するコンテンツデータ７０を検索するようにしてもよいし、画像管理装置１０の記憶部が、表示装置５に表示する複数のコンテンツデータ７０を記憶してもよい。他にも例えば、画像管理装置１０が自ら作成した画像データを新たなコンテンツデータ７０として、これの表示について管理してもよい。
【０１１３】
（２）また、第１の実施形態では、検索部３４が画像比較を行うことで、入力画像データ６０と一致又は類似するコンテンツデータ７０を検索する場合の例を、第２の実施形態では、検索部３４がＯＣＲ情報の文字列比較により、コンテンツデータ７０を検索する場合の例をそれぞれ説明したが、検索部３４は、画像比較とＯＣＲ情報の文字列比較との双方を行うことにより、コンテンツデータ７０を検索してもよい。
【０１１４】
より具体的には、入力画像データ６０及びコンテンツデータ７０のフォーマットは予め定められてよく（図８、図９参照）、検索部３４は、ＯＣＲ情報の一致判定（図１０のステップＳ５０３）を行った後に、ＯＣＲ情報が一致するコンテンツデータ７０に対して、画像比較処理（図５のステップＳ２０２〜Ｓ２０３）を実行してもよい。
【０１１５】
なお、上記ＯＣＲ情報の一致判定処理と、画像比較処理の実行順序は前後してもよいが、画像比較処理は、ＯＣＲ情報の文字列を比較する処理に比べて時間がかかるため、上記のようにＯＣＲ情報の一致判定処理を先に行い、ＯＣＲ情報が類似しないコンテンツデータ７０の画像比較処理を省略することで、全体の検索処理にかかる時間を短縮することできる。
【０１１６】
（３）また、この場合、検索部３４は、入力画像データ６０とコンテンツデータ７０について、それぞれの画像領域全体を対象に画像比較処理を行ってもよいし、それぞれのコンテンツ領域を対象に画像比較処理を行ってもよい。なお、検索部３４が各画像データのＯＣＲ領域を画像比較の対象とすることにより、例えば、各ＯＣＲ領域に手書きされた文字の筆跡が一致するか否かを判定することが可能になる。
【０１１７】
（４）また、各実施形態においては、入力画像データ６０そのものをコンテンツデータ７０として記憶する場合について説明したが、画像管理装置１０の管理部１２は、入力画像データ６０の所定領域（例えば、コンテンツ領域６１（図８参照））でトリミングした画像データを、新たなコンテンツデータ７０として記憶させてもよい。また、この場合、検索部３４は、入力画像データ６０の所定領域（コンテンツ領域６１）と、コンテンツデータ７０画像領域全体と、を対象に画像比較処理を行うことにより、入力画像データ６０と一致又は類似するコンテンツデータ７０を検索してもよい。
【０１１８】
（５）なお、各画像データのコンテンツ領域及びＯＣＲ領域は、図示したものに限られず、各画像データのフォーマットに応じて適宜変更してよいのはもちろんである。
【符号の説明】
【０１１９】
１  画像管理システム、５  表示装置、１０  画像管理装置、１１  管理方法設定部、１２  管理部、１３  表示制御部、２０  画像入力装置、３０  画像記憶装置、３１  画像データ取得部、３２  コンテンツデータ記憶部、３３  記憶内容取得部、３４  検索部、３５  配信部、３８  認証データ取得部、３９  認証部、４０  認証データ入力装置、５０  コンテンツ管理画面、５１０  入力画像表示領域、５２０  検索結果表示領域、５２１  チェックボックス、５３０  選択ボタン、５３１  選択画像削除ボタン、５３２  選択画像更新ボタン、５３３  入力画像追加ボタン、５３４  キャンセルボタン、６０  入力画像データ、７０  コンテンツデータ、６１，７１  コンテンツ領域、６２，７２  ＯＣＲ領域。
【図１】
2016143142.tif 000003
【図２】
2016143142.tif 000004
【図３】
2016143142.tif 000005
【図４】
2016143142.tif 000006
【図５】
2016143142.tif 000007
【図６】
2016143142.tif 000008
【図７】
2016143142.tif 000009
【図８】
2016143142.tif 000010
【図９】
2016143142.tif 000011
【図１０】
2016143142.tif 000012
【図１１】
2016143142.tif 000013
【図１２】
2016143142.tif 000014
【図１３】
2016143142.tif 000015